(57)【要約】【課題】２種類の流体を、同じ方向の軸回りに、それぞれ所望の角度だけ回動させた方向に移送することができるとともに、コンパクトなツインスイベルジョイントを提供する。【解決手段】外管２と、この外管よりも端部が突出する内管３とよりなる二重管構造の基管１における前記内管３に、この内管の外径よりも大きい内径を有し、側面に側管４を設けた第１スイベル管７の全体を外嵌させるとともに、第１スイベル管７の一端を、前記外管２の内周面に、ボールベアリング８を介して当接させた状態で回動可能に内嵌させ、他端の内径を縮径して、前記内管３の外周面に、ボールベアリング９を介して当接させた状態で回動可能に外嵌させ、かつ前記内管３の端部に、第２スイベル管２４の一端をボールベアリング２５，２６を介して回動可能に外嵌させたツインスイベルジョイントとする。【選択図】図１
0003118509.tif 000002
【実用新案登録請求の範囲】
【請求項１】
外管と、この外管よりも端部が突出する内管とよりなる二重管構造の基管における前記内管に、この内管の外径よりも大きい内径を有し、側面に側管を設けた第１スイベル管の全体を外嵌させるとともに、第１スイベル管の一端を、前記外管の内周面に、ボールベアリングを介して当接させた状態で回動可能に内嵌させ、他端の内径を縮径して、前記内管の外周面に、ボールベアリングを介して当接させた状態で回動可能に外嵌させ、かつ前記内管の端部に、第２スイベル管の一端をボールベアリングを介して回動可能に外嵌させたことを特徴とするツインスイベルジョイントの構造。
【請求項２】
第１基管に、第１スイベル管の一端を、ボールベアリングを介して回動可能に内嵌または外嵌させるとともに、この第１スイベル管に、第１スイベル管の外径よりも大きい内径を有する第２基管を外嵌させ、かつこの第２基管に、同じく第１スイベル管の外径よりも大きい内径を有し、側方に側管を有する第２スイベル管の一端を、ボールベアリングを介して回動可能に内嵌し、他端を第１スイベル管に回動可能に外嵌したことを特徴とするツインスイベルジョイントの構造。
【考案の詳細な説明】
【技術分野】
【０００１】
本考案は、ツインスイベルジョイントの構造に関する。
【背景技術】
【０００２】
スイベルジョイントは、たとえば、特許文献１に記載されるように、注油管装置その他の種々の分野で広く使用されている。
しかし、従来のスイベルジョイントは、１個の固定管に対して、１個の回動可能なスイベル管が設けられているのが一般的である。
このため、たとえば異なる２種類の液体を、同じ方向の軸回りに回動させて移送する場合でも、各流体毎に、別のスイベルジョイントを用いるのが一般的であり、設置場所も、それら複数のスイベルジョイントを設置する余裕がある空間を必要としていた。
【特許文献１】実公平７−９８３９号公報
【考案の開示】
【考案が解決しようとする課題】
【０００３】
本考案は、前記現状に鑑み、２種類の流体を、同じ方向の軸回りに、それぞれ所望の角度だけ回動させた方向に移送することができるとともに、コンパクトであり、設置場所として大きな空間を必要としないツインスイベルジョイントを提供することを目的とする。
【課題を解決するための手段】
【０００４】
上記課題は、実用新案登録請求の範囲における各請求項に示すように、下記の構成を備える考案によって解決される。
(１)  外管と、この外管よりも端部が突出する内管とよりなる二重管構造の基管における前記内管に、この内管の外径よりも大きい内径を有し、側面に側管を設けた第１スイベル管の全体を外嵌させるとともに、第１スイベル管の一端を、前記外管の内周面に、ボールベアリングを介して当接させた状態で回動可能に内嵌させ、他端の内径を縮径して、前記内管の外周面に、ボールベアリングを介して当接させた状態で回動可能に外嵌させ、かつ前記内管の端部に、第２スイベル管の一端をボールベアリングを介して回動可能に外嵌させたツインスイベルジョイントとする。
【０００５】
(２)  第１基管に、第１スイベル管の一端を、ボールベアリングを介して回動可能に内嵌または外嵌させるとともに、この第１スイベル管に、第１スイベル管の外径よりも大きい内径を有する第２基管を外嵌させ、かつこの第２基管に、同じく第１スイベル管の外径よりも大きい内径を有し、側方に側管を有する第２スイベル管の一端を、ボールベアリングを介して回動可能に内嵌し、他端を第１スイベル管に回動可能に外嵌したツインスイベルジョイントとする。
【考案の効果】
【０００６】
本考案によると、次のような効果が奏せられる。
請求項１または２に記載の考案によれば、２種類の流体を、同じ方向の軸回りに、それぞれ所望の角度だけ回動させた方向に移送することができるとともに、回動軸が共通であるため、ツインスイベルジョイントをコンパクトにすることができ、その設置場所としても、大きな空間を必要としない。
【考案を実施するための最良の形態】
【０００７】
図１は、本考案のツインスイベルジョイントの第１実施形態の縦断面図である。
【０００８】
固定されている基管(１)は、外管(２)と内管(３)との二重管構造となっており、内管(３)は、外管(２)よりも前方に突出している。外管(２)の側方には入口用側管(４)が設けられている。
【０００９】
２種類の流体Ａ，Ｂは、それぞれ内管(３)の入口(５)、および入口用側管(４)の入口(６)より供給される。
【００１０】
第１スイベル管(７)は、その内径が内管(３)の外径よりも大きく、全体が内管(３)に外嵌され、その一端は、外管(２)の内周面(2a)に、ボールベアリング(８)を介して当接され回動可能となっており、他端の内径は縮径されて、内管(３)の外周面(3a)に、ボールベアリング(９)を介して当接され回動可能となっている。
【００１１】
ボールベアリング(８)は、第１スイベル管(７)の外周面(7a)に設けられた環状溝(10)と、この環状溝(10)に対向して、基管(１)における外管(２)の内周面(2a)に設けられた環状溝(11)の両環状溝(10)(11)により形成される環状孔(12)内に配設されている。
【００１２】
環状孔(12)の適所において、外管(２)の外部に通じる投入口(2b)が設けられており、ボールベアリング(８)は、この投入口(2b)より、環状孔(12)内に配設されている。投入口(2b)は塞ぎ部材(13)としてのプラグにより閉塞されている。
【００１３】
ボールベアリング(９)も、同様に、第１スイベル管(７)の縮径された端部における内周面(7b)と、内管(３)の外周面(3a)に、それぞれ設けられた環状溝(14)(15)からなる環状孔(16)内に配設されている。
【００１４】
環状孔(16)の適所には、第１スイベル管(７)の外部へ通じる投入口(17)が設けられており、ボールベアリング(９)は、この投入口(17)より環状孔(16)内に配設されている。投入口(17)は、塞ぎ部材(18)としてのプラグにより閉塞されている。
【００１５】
両ボールベアリング(８)(９)の近傍の第１スイベル管(７)の外周面(7a)、および内管(３)の外周面(3a)には、それぞれ環状溝(19)(20)が設けられており、両環状溝(19)(20)には、それぞれＯリング(21)(22)が配設されている。
【００１６】
これらのＯリング(21)(22)は、ボールベアリング(８)(９)の表面摩擦を減じ、回動を円滑にするために、環状孔(12)(16)内に注入されたグリスが、外部に漏洩することを防止する機能を有している。第１スイベル管(７)の側面には、出口用側管(23)が設けられている。
【００１７】
基管(１)における突出した内管(３)の端部には、第２スイベル管(24)が，ボールベアリング(25)(26)を介して回動可能に外嵌されている。
【００１８】
ボールベアリング(25)(26)は、前記と同様に、内管(３)の外周面(3a)と、第２スイベル管(24)の内周面(24a)間に、それぞれ設けられた環状孔(27)(28)内に配設されている。両環状孔(27)(28)には、それぞれ投入口(29)(30)が設けられ、両投入口(29)(30)は、それぞれ塞ぎ部材(31)(32)で閉塞されている。
【００１９】
内管(３)の端部の外周面(3a)は、縮径されて環状段部(33)が形成され、この環状段部(33)には、環状のパッキン(34)が配設されている。
【００２０】
このパッキン(34)は、内管(３)の入口(５)から流体が漏洩することを防止する機能を有している。
【００２１】
ボールベアリング(25)(26)の、パッキン(34)が配設されている環状段部(33)と反対側の内管(３)の外周面(3a)には、環状溝(35)が設けられ、Ｏリング(36)が配設されている。
【００２２】
２種類の流体Ａ，Ｂのうち、内管(３)の入口(５)より供給された流体Ａは、第２スイベル管(24)の出口(24b)から、次の配管Ａ(37)に供給され、第１スイベル管(７)の入口用側管(４)の入口(６)より供給された流体Ｂは、出口用側管(23)の出口(23a)から、次の配管Ｂ(38)に供給される。
【００２３】
第１スイベル管(７)と、第２スイベル管(24)は、共通の回動軸の回りに、それぞれ所望の角度だけ回動させることができるため、コンパクトなツインスイベルジョイントが得られるとともに、第１，２スイベル管(７)(24)の回動操作も容易である。
【００２４】
図２は、本考案のツインスイベルジョイントの第２実施形態の縦断面図である。
【００２５】
固定されている第１基管(39)に、第１スイベル管(40)の一端が、ボールベアリング(41)(42)を介して回動可能に内嵌されている。前記の第１実施形態の場合と同様に、ボールベアリング(41)(42)が配設される環状孔(43)(44)には、投入口(45)(46)が設けられ、塞ぎ部材(47)(48)としてのプラグにより閉塞されている。また、ボールベアリング(41)(42)が配設されている環状孔(43)(44)の両側には、環状溝(49)(50)が設けられ、Ｏリング(51)(52)が配設されている。
【００２６】
第１基管(39)は、第１スイベル管(40)の一端が内嵌される筒先部(53)と、この筒先部(53)が結合される筒本体部(54)とに分割されており、両者間の当接面にも環状溝(55)が設けられ、Ｏリング(56)が配設されている。
【００２７】
第１スイベル管(40)には、この第１スイベル管(40)の外径よりも大きい内径を有する第２基管(57)が外嵌されている。
【００２８】
この第２基管(57)には、同じく、第１スイベル管(40)の外径よりも大きい内径を有する第２スイベル管(58)の一端が、ボールベアリング(59)を介して回動可能に内嵌されており、第２スイベル管(58)の他端は、第１スイベル管(40)に、Ｏリング(60)を介して、回動可能に外嵌されている。第２スイベル管(58)の側方には出口用側管(61)が設けられている。
【００２９】
第２基管(57)における、ボールベアリング(59)が配設されている環状孔(62)よりも内側、および環状孔(62)が設けられている端部と反対側の端部には、それぞれ環状溝(63)(64)が設けられ、両環状孔には、それぞれＯリング(65)(66)が配設されている。
【００３０】
ボールベアリング(59)が配設されている環状孔(62)には、投入口(67)が設けられ、塞ぎ部材(68)で閉塞されている。
【００３１】
２種類の流体Ｃ、Ｄのうち、第１基管(39)の入口(39a)から、第１スイベル管(40)に供給された流体Ｃは、第１スイベル管(40)の出口(40a)から、次の配管Ｃ(69)に供給され、第２基管(57)の入口(57a)から供給された流体Ｄは、出口用側管(61)の出口(61a)から、次の配管Ｄ(70)に供給される。
【００３２】
第１実施形態のツインスイベルジョイントと同様に、第１スイベル管(40)と、第２スイベル管(58)は、共通の回動軸の回りに、それぞれ所望の角度だけ回動させることができるため、コンパクトなツインスイベルトジョイントが得られるとともに、第１，２スイベル管(40)(58)の回動操作も容易である。
【図面の簡単な説明】
【００３３】
【図１】本考案のツインスイベルジョイントの第１実施形態の縦断面図である。
【図２】同じく、本考案のツインスイベルジョイントの第２実施形態の縦断面図である。
【符号の説明】
【００３４】
(１)基管
(２)外管
(2a)内周面
(2b)投入口
(３)内管
(3a)外周面
(４)入口用側管
(５)(６)入口
(７)第１スイベル管
(7a)外周面
(7b)内周面
(８)(９)ボールベアリング
(10)(11)環状溝
(12)環状孔
(13)塞ぎ部材
(14)(15)環状溝
(16)環状孔
(17)投入口
(18)塞ぎ部材
(19)(20)環状溝
(21)(22)Ｏリング
(23)出口用側管
(23a)出口
(24)第２スイベル管
(24a)内周面
(24b)出口
(25)(26)ボールベアリング
(27)(28)環状孔
(29)(30)投入口
(31)(32)塞ぎ部材
(33)環状段部
(34)パッキン
(35)環状溝
(36)Ｏリング
(37)配管Ａ
(38)配管Ｂ
(39)第１基管
(39a)入口
(40)第１スイベル管
(40a)出口
(41)(42)ボールベアリング
(43)(44)環状孔
(45)(46)投入口
(47)(48)塞ぎ部材
(49)(50)環状溝
(51)(52)Ｏリング
(53)筒先部
(54)筒本体部
(55)環状溝
(56)Ｏリング
(57)第２基管
(57a)入口
(58)第２スイベル管
(59)ボールベアリング
(60)Ｏリング
(61)出口用側管
(61a)出口
(62)環状孔
(63)(64)環状溝
(65)(66)Ｏリング
(67)投入口
(68)塞ぎ部材
(69)配管Ｃ
(70)配管Ｄ
【図１】
0003118509.tif 000003
【図２】
0003118509.tif 000004